(57)【要約】【課題】脱枠後もコンクリート壁の表面に格子状のラインが出ないようにしてコンクリート壁の見栄えを良くし、しかも、重量・価格が従来とほとんど変わらないコンクリート型枠パネル用基板を提供する。【解決手段】方形薄板１の裏面４に複数本の断面矩形をなす突条桟部２ａ〜２ｅ，３を縦横格子状に突設して成形されるＦＲＰ製のコンクリート型枠パネル用基板Ａであって、方形薄板１の裏面４と各突条桟部２ａ〜２ｅ，３の側面５全長との間に該裏面４から該側面５に向かうに従い漸次肉厚が増す肉盛条部６を一体に成形し、また、肉盛条部６と接する各突条桟部２ａ〜２ｅ，３の裏側角部全長に亘り凹溝条部７を成形し、肉盛条部部位６ａと凹溝条部部位７ａとの重量がほぼ同じになるようにした。【選択図】図４
2006037472.tif 000002
【特許請求の範囲】
【請求項１】
方形薄板の裏面に複数本の断面矩形をなす突条桟部が縦横格子状に突設して成形されるＦＲＰ製のコンクリート型枠パネル用基板であって、前記方形薄板の裏面と前記各突条桟部の側面全長との間に該裏面から該側面に向かうに従い漸次肉厚が増す肉盛条部を一体に成形し、また、前記肉盛条部と接する各突条桟部の裏側角部全長に亘り凹溝条部を成形し、前記肉盛条部部位と前記凹溝条部部位との重量がほぼ同じになるようにしたことを特徴とするコンクリート型枠パネル用基板。
【発明の詳細な説明】
【技術分野】
【０００１】
本発明は、例えば、生コンクリートを打設してコンクリート壁を成形するため床面上に枠組みされるコンクリート型枠パネルの基板に関するものである。
【背景技術】
【０００２】
従来、この種コンクリート型枠パネルは、縦長の基板であるベニヤ板の裏面に補強と連結手段を兼ね備えたアルミ製の桟木用固定枠がその縦方向に沿って複数本添着固定して成形されている（例えば、特許文献１参照。）。
しかしながら、近時、森林の伐採が環境破壊につながるとして前記基板を成形する外材の輸入が減少しており、それに替わる製品としてＦＲＰ製の基板がある（例えば、非特許文献１参照。）。このＦＲＰ製の基板は、方形薄板の裏面に補強のため断面矩形の突条桟部を縦横格子状に一体に突設して成形され、その内、縦の４本の突条桟部に沿ってアルミ製の桟木用固定枠が添着固定される。そして、前記突条桟部が突設されない表面同士を所定の間隔離して向かい合わせ各コンクリート型枠パネルを床面に並置して枠組みし、その間に生コンクリートを打設するようにしている。
【特許文献１】特開平７−２２９２９０号公報（第３頁、図２、図８）
【非特許文献１】アルミ桟型枠の紹介（株式会社新樹）、「Ｘシート・トリコンシートの紹介」、［ｏｎｌｉｎｅ］、［平成１６年７月２２日検索］、インターネット＜ＵＲＬ：ｈｔｔｐ：／／ｗｗｗ．ｓｉｎ−ｋｉ．ｃｏ．ｊｐ／ｎｅｗ＿ｐａｇｅ＿１．ｈｔｍ＞
【発明の開示】
【発明が解決しようとする課題】
【０００３】
ところが、前記ＦＲＰ製の基板にあっては、打設された生コンクリートの圧力によりその方形薄板がその突条桟部の設けられる裏面側へ強く押されるため、各突条桟部とその間の方形薄板との撓み上の差が出て、脱枠した後のコンクリート壁面に前記突条桟部の側縁のラインが格子状にくっきりと浮き出てしまい、見栄えの悪いものであった。これは、各突条桟部が断面矩形をしており、その側面と方形薄板の裏面とがほぼ直角をなすように成形され、その部位で撓み上の差がはっきり出るからである。
【０００４】
そこで、本発明は上記課題を解決すべくなされたもので、脱枠後もコンクリート壁の表面に格子状のラインが出ないようにしてコンクリート壁の見栄えを良くし、しかも、重量・価格が従来とほとんど変わらないコンクリート型枠パネル用基板を提供することを目的とするものである。
【課題を解決するための手段】
【０００５】
かかる目的を達成するため、本発明に係るコンクリート型枠パネル用基板は、方形薄板の裏面に複数本の断面矩形をなす突条桟部が縦横格子状に突設して成形されるＦＲＰ製のコンクリート型枠パネル用基板であって、前記方形薄板の裏面と前記各突条桟部の側面全長との間に該裏面から該側面に向かうに従い漸次肉厚が増す肉盛条部を一体に成形し、また、前記肉盛条部と接する各突条桟部の裏側角部全長に亘り凹溝条部を成形し、前記肉盛条部部位と前記凹溝条部部位との重量がほぼ同じになるようにした構成からなる。
【発明の効果】
【０００６】
本発明に係るコンクリート型枠パネル用基板は、方形薄板の裏面と各突条桟部の側面全長との間に該裏面から該側面に向かうに従い漸次肉厚が増す肉盛条部を一体に成形し、また、前記肉盛条部と接する各突条桟部の裏側角部全長に亘り凹溝条部を成形し、前記肉盛条部部位と前記凹溝条部部位との重量がほぼ同じになるようにしたので、各突条桟部と方形薄板との間の厚さに極端な差の生ずることがなくなり、生コンクリートの圧力が加わっても突条桟部の側縁のラインが浮き出ることがなく、コンクリート壁面は極めて見栄えが良くなるという効果がある。
【０００７】
また、前記肉盛条部部位と凹溝条部部位との重量はほぼ同じとなるので、コンクリート型枠パネル用基板全体の重量は従来のものと変わらない。よって、例えば、従来のものに比較しコンクリート型枠パネルの重量が増えて取り扱いずらいとか、成形コストが高くなるといったことはないという有益な効果もある。
【発明を実施するための最良の形態】
【０００８】
以下、本発明に係るコンクリート型枠パネル用基板の実施の形態を図面に基づき説明する。図１は本発明に係るコンクリート型枠パネル用基板の表側から見た斜視図、図２は同裏側から見た斜視図である。このコンクリート型枠パネル用基板（以下、単に「基板」という。）Ａは、例えば、ガラス繊維で補強された不飽和ポリエステル樹脂、所謂、ＦＲＰにより圧縮成型される。
【０００９】
前記基板Ａは、例えば、縦が１８００ｍｍ、横が６００ｍｍ、厚みが１２ｍｍであって、重量が８．８ｋｇである。そして、その方形薄板１の裏面に縦の突条桟部２ａ〜２ｅが短手方向の両側縁部とその間の３箇所にそれぞれ平行に突設され、横の突条桟部３，３…が長手方向の両側端部とその間に各縦の突条桟部２ａ〜２ｅと直交するようにかつ平行に複数突設されている。縦・横の突条桟部２ａ〜２ｅ，３，３…はいずれも方形薄板１と一体に成型される。
【００１０】
そして、図３に示すように、方形薄板１の裏面４と各突条桟部２ａ〜２ｅの側面全長との間に、該裏面４から該側面に向かうに従い漸次肉厚が増す肉盛条部６が一体に成形されている。また、前記肉盛条部６と接する各突条桟部２ａ〜２ｅ，３の裏側角部全長に亘り凹溝条部７が成形される。ここで、盛り付けられるように成形される前記肉盛条部部位６ａと削り取られるように成形される前記凹溝条部部位７ａとの重量はほぼ同じとなるように設定される。これら肉盛条部６や凹溝条部７は各突条桟部２ａ〜２ｅ，３と同様に成形型（図示せず。）により同時に圧縮成型される。
【００１１】
更に、図４に基づき、例えば基板１の長手方向に沿った一側縁の突条桟部２ａについて詳しく説明する。図中、二点鎖線は本来の縦の突条桟部２ａの外形である。この縦の突条桟部２ａは、断面矩形であって横幅が３０ｍｍ、方形薄板１の裏面４から８ｍｍ裏側へ突出している。そこで、前記縦の突条桟部２ａの外側の側端縁から内側へ２７ｍｍ＋１５ｍｍ進んだ位置を点Ｐ１とし、この点Ｐ１から方形薄板１の裏面４に垂線Ｌ１を下ろしその点をＰ２とする。その垂線Ｌ１上で方形薄板１の裏面４から２５ｍｍ離れた位置を点Ｏとし、この点Ｏを中心として半径２５ｍｍの円弧Ｒを描く。該円弧Ｒと突条桟部２ａの側面５との交点をＰ３とし、側面５と方形薄板１の裏面４との交点をＰ４とする。
【００１２】
また、前記突条桟部２ａにおける側面５と後面８との交点をＰ５とし、後面８に沿って前記点Ｐ５から外側へ３ｍｍ進んだ位置を点Ｐ６とし、この点Ｐ６から前記側面５と平行をなす平行線Ｌ２を引き、この平行線Ｌ２と前記円弧Ｒとの交点をＰ７とする。これによると、前記肉盛条部部位６ａとなる略三角形（Ｐ２，Ｐ３，Ｐ４）の面積Ｓ１と凹溝条部部位７ａとなる略四角形（Ｐ３，Ｐ５，Ｐ６，Ｐ７）の面積Ｓ２とはほぼ同じになる。例えば、前記面積Ｓ１が１１．９５５ｍｍ２、面積Ｓ２が１２．０５０ｍｍ２となる。
【００１３】
他の縦の突条桟部２ｂ〜２ｅおよび横の突条桟部３，３…についても、その両側縁または一側縁について前記と同様な形状に成形される。このように、方形薄板１の裏面４と各縦の突条桟部２ａ〜２ｅ及び横の突条桟部３の側面５全体との間に肉盛条部６ａを成形することにより、方形薄板１と縦・横の突条桟部２ａ〜２ｅ，３との間にはっきりした境目となるラインがなくなる。
【００１４】
本発明に係る基板Ａは上記構成からなり、前記各縦の突条桟部２ａ〜２ｅの裏面には図５に示すようにアルミ製の桟木用固定枠９が添着され、ビスなどの固定手段により固定される。これにより、コンクリート型枠パネルＡ１が成形される。そして、図示は省略するが、現場では、表面同士を所定の間隔離して基板Ａを向い合わせ床面上に複数枚並置して枠組みされ、その間に生コンクリートが打設されることになる。
【００１５】
そこで、本発明に係る基板Ａにあっては、前記各縦の突条桟部２ａ〜２ｅ及び各横の突条桟部３の側面５と方形薄板１との間の厚さに極端な差が生じないことから、生コンクリートの圧力が加わっても、成型後のコンクリート壁（図示せず。）にはその差が格子状のラインとしてくっきりと浮き出ることがなく、極めて見栄えが良い。
【００１６】
また、盛り付けた肉盛条部部位６ａと削り取った凹溝条部部位７ａとの重量はほぼ同じになるので、基板Ａの全体重量は従来のものとほとんど変わりがない。よって、例えば、従来のものに比べコンクリート型枠パネルＡ１の重量が増えて取り扱い難いとか、成形コストが高くなるといったこともない。
【図面の簡単な説明】
【００１７】
【図１】本発明に係るコンクリート型枠パネル用基板の表側から見た斜視図。
【図２】同裏側から見た斜視図。
【図３】図２のＸ−Ｘ線拡大断面図。
【図４】図２のＹ−Ｙ線拡大断面図。
【図５】コンクリート型枠パネルの裏側から見た斜視図。
【符号の説明】
【００１８】
１              方形薄板
２ａ〜２ｅ      縦の突条桟部
３              横の突条桟部
４              裏面
５              側面
６              肉盛条部
６ａ            肉盛条部部位
７              凹溝条部
７ａ            凹溝条部部位
Ａ              コンクリート型枠パネル用基板
Ａ１            コンクリート型枠パネル
【図１】
2006037472.tif 000003
【図２】
2006037472.tif 000004
【図３】
2006037472.tif 000005
【図４】
2006037472.tif 000006
【図５】
2006037472.tif 000007